【手続補正書】
【提出日】平成18年3月2日(2006.3.2)
【手続補正１】
【補正対象書類名】明細書
【補正対象項目名】特許請求の範囲
【補正方法】変更
【補正の内容】
【特許請求の範囲】
【請求項１】  移動ネットワークにゲートウエイGWおよび複数のフォーリンエージェントFA（FA1〜FAn)を設け、ゲートウエイGWに接続された外部ネットワーク上の相手端末と移動ネットワーク上の移動端末とが前記ゲートウエイGW およびフォーリンエージェントFAを介して通信する移動ネットワークの通信方法において、
ゲートウエイGWおよび複数のフォーリンエージェントFAがリング状に接続され、
移動端末が一のフォーリンエージェントFAに対して位置登録を要求する手順と、
前記一のフォーリンエージェントFAが、前記位置登録要求に応答して前記移動端末のアドレス情報をビジターリストへ登録する手順と、
相手端末から移動端末に宛てて送信されたパケットをゲートウエイGW が受信する手順と、
前記ゲートウエイGWが一方側のフォーリンエージェントFAへパケットを転送し、当該フォーリンエージェントFAがさらに、一方側の他のフォーリンエージェントFAへパケットを転送し、これを繰り返す手順と、
パケットを転送されたフォーリンエージェントFAが、その宛先アドレスを自身のビジターリストから検索する手順と、
前記受信パケットの宛先アドレスがビジターリストに既登録であるフォーリンエージェントFAが、当該受信パケットを移動端末の接続されたリンクへ転送する手順とを含むことを特徴とする移動ネットワークの通信方法。
【請求項２】  移動端末が相手端末宛のパケットを一のフォーリンエージェントへ転送する手順と、
前記一のフォーリンエージェントが、一方側のフォーリンエージェントFAへパケットを転送し、当該フォーリンエージェントFAがさらに一方側の他のフォーリンエージェントFAへパケットを転送し、これをパケットがゲートウエイGWに到着するまで繰り返す手順と、
ゲートウエイGWが前記パケットを受信して外部ネットワークへ転送する手順とを含むことを特徴とする請求項１に記載の移動ネットワークの通信方法。
【請求項３】  移動ネットワーク上の移動端末が移動ネットワーク上の他の移動端末宛てのパケットを一のフォーリンエージェントFAへ転送する手順と、
前記一のフォーリンエージェントFAが一方側のフォーリンエージェントFAへパケットを転送し、当該フォーリンエージェントFAがさらに、一方側の他のフォーリンエージェントFAへパケットを転送し、これを繰り返す手順と、
パケットを転送されたフォーリンエージェントFAが、その宛先アドレスを自身のビジターリストから検索する手順と、
前記受信パケットの宛先アドレスがビジターリストに既登録であるフォーリンエージェントFAが、当該受信パケットを前記他の移動端末の接続されたリンクへ転送する手順とを含むことを特徴とする請求項１または２に記載の移動ネットワークの通信方法。
【請求項４】  移動ネットワークにゲートウエイGWおよび複数のフォーリンエージェントFA（FA1〜FAn)を設け、ゲートウエイGWに接続された外部ネットワーク上の相手端末と移動ネットワーク上の移動端末とが前記ゲートウエイGW およびフォーリンエージェントFAを介して通信する移動ネットワークの通信方法において、
ゲートウエイGWおよび複数のフォーリンエージェントFAがリング状に接続され、
フォーリンエージェントFAが配下の移動端末に対して、前記ゲートウエイGWのアドレスを気付けアドレスCoAとして通知する手順と、
移動端末が前記フォーリンエージェントFAに対して、前記気付けアドレスCoAを指定して位置登録を要求する手順と、
前記フォーリンエージェントFAが、前記位置登録要求に応答して前記移動端末のアドレス情報をビジターリストへ登録する手順と、
前記フォーリンエージェントFAが前記移動端末のホームエージェントHAに対して、当該移動端末の位置登録を前記気付けアドレスCoAを指定して要求する手順と、
前記ホームエージェントHAが、前記位置登録要求に応答して前記移動端末のアドレス情報をバインディングリストへ登録する手順と、
相手端末から移動端末に宛てて送信されたパケットを前記ホームエージェントHAが受信する手順と、
前記ホームエージェントHAが前記受信パケットをカプセル化し、前記移動端末に関する気付けアドレスCoAを宛先として送信する手順と、
ゲートウエイGW が前記カプセルを受信し、これを解除して一方側のフォーリンエージェントFAへパケットを転送する手順と、
前記一方側のフォーリンエージェントFAがパケットを受信し、当該フォーリンエージェントFAがさらに、一方側の他のフォーリンエージェントFAへパケットを転送し、これを繰り返す手順と、
パケットを転送されたフォーリンエージェントFAが、その宛先アドレスを自身のビジターリストから検索する手順と、
前記受信パケットの宛先アドレスがビジターリストに既登録であるフォーリンエージェントFAが、当該受信パケットを移動端末の接続されたリンクへ転送する手順とを含むことを特徴とする移動ネットワークの通信方法。
【請求項５】  移動端末が外部ネットワーク上の相手端末宛のパケットを一のフォーリンエージェントへ転送する手順と、
前記一のフォーリンエージェントが、一方側のフォーリンエージェントFAへパケットを転送し、当該フォーリンエージェントFAがさらに、一方側の他のフォーリンエージェントFAへパケットを転送し、これをパケットがゲートウエイGWに到着するまで繰り返す手順と、
ゲートウエイGWが前記パケットを受信して外部ネットワークへ転送する手順とを含むことを特徴とする請求項４に記載の移動ネットワークの通信方法。
【請求項６】  移動ネットワーク上の移動端末が移動ネットワーク上の他の移動端末宛のパケットを一のフォーリンエージェントFAへ転送する手順と、
前記一のフォーリンエージェントFAが、一方側のフォーリンエージェントFAへパケットを転送し、当該フォーリンエージェントFAがさらに、一方側の他のフォーリンエージェントFAへパケットを転送し、これをパケットがゲートウエイGWに到着するまで繰り返す手順と、
ゲートウエイGWが前記パケットを受信してホームエージェントHAへ転送する手順と、
ホームエージェントHAが前記受信パケットをカプセル化し、前記移動端末に関する気付けアドレスCoAを宛先として送信する手順と、
ゲートウエイGW が前記カプセルを受信し、これを解除して一方側のフォーリンエージェントFAへパケットを転送する手順と、
前記一方側のフォーリンエージェントFAがパケットを受信し、当該フォーリンエージェントFAが一方側の他のフォーリンエージェントFAへパケットを転送し、これを繰り返す手順と、
パケットを転送されたフォーリンエージェントFAが、その宛先アドレスを自身のビジターリストから検索する手順と、
受信パケットの宛先アドレスがビジターリストに既登録であるフォーリンエージェントFAが、当該受信パケットを移動端末の接続されたリンクへ転送する手順とを含むことを特徴とする請求項４または５に記載の移動ネットワークの通信方法。
【請求項７】  移動端末の位置登録を完了したフォーリンエージェントFAが、当該移動端末のアドレスを含む削除要求メッセージを一方側のフォーリンエージェントFAへ転送し、当該フォーリンエージェントFAがさらに、一方側の他のフォーリンエージェントFAへ前記削除要求メッセージを転送し、これを繰り返す手順と、
前記削除要求メッセージを受信したフォーリンエージェントFAが、当該削除要求メッセージに含まれるアドレスをビジターリストから検索する手順と、
前記アドレスがビジターリストに既登録であると、その位置登録を削除する手順とを含むことを特徴とする請求項１ないし６のいずれかに記載の移動ネットワークの通信方法。
【請求項８】  前記移動端末の位置登録を完了したフォーリンエージェントFAが、その位置登録時刻t2を登録する手順と、
前記位置登録を完了したフォーリンエージェントFAが、前記時刻t2を前記アドレスと共に削除要求メッセージに含ませる手順と、
前記削除要求メッセージを受信したフォーリンエージェントFAのビジターリストに、前記削除要求メッセージに含まれるアドレスが既登録であると、当該既登録アドレスの移動端末に関する位置登録時刻t1を前記削除要求メッセージに含まれる位置登録時刻t2と比較する手順とを更に含み、
前記削除要求メッセージを受信したフォーリンエージェントFAは、t1＜t2を条件に位置登録を削除することを特徴とする請求項７に記載の移動ネットワークの通信方法。
【請求項９】  移動ネットワークにゲートウエイGWおよび複数のフォーリンエージェントFA（FA1〜FAn)を設け、ゲートウエイGWに接続された外部ネットワーク上の相手端末と移動ネットワーク上の移動端末とが前記ゲートウエイGW およびフォーリンエージェントFAを介して通信する移動ネットワークの通信方法において、
ゲートウエイGWおよび複数のフォーリンエージェントFAが当該ゲートウエイGWを先頭にライン状に接続され、
移動端末が一のフォーリンエージェントFAに対して位置登録を要求する手順と、
前記一のフォーリンエージェントFAが、前記位置登録要求に応答して前記移動端末のアドレス情報をビジターリストへ登録する手順と、
相手端末から移動端末に宛てて送信されたパケットをゲートウエイGW が受信する手順と、
前記ゲートウエイGWが下流側のフォーリンエージェントFAへパケットを転送し、当該フォーリンエージェントFAがさらに、下流側の他のフォーリンエージェントFAへパケットを転送し、これを繰り返す手順と、
パケットを転送されたフォーリンエージェントFAが、その宛先アドレスを自身のビジターリストから検索する手順と、
受信パケットの宛先アドレスがビジターリストに既登録であるフォーリンエージェントFAが、当該受信パケットを移動端末の接続されたリンクへ転送する手順とを含むことを特徴とする移動ネットワークの通信方法。
【請求項１０】  移動端末が相手端末宛のパケットを一のフォーリンエージェントへ転送する手順と、
前記一のフォーリンエージェントが、上流側のフォーリンエージェントFAへパケットを転送し、当該フォーリンエージェントFAがさらに、上流側の他のフォーリンエージェントFAへパケットを転送し、これをパケットがゲートウエイGWに到着するまで繰り返す手順と、
ゲートウエイGWが前記パケットを受信して外部ネットワークへ転送する手順とを含むことを特徴とする請求項９に記載の移動ネットワークの通信方法。
【請求項１１】  ゲートウエイGWおよび複数のフォーリンエージェントFA（FA1〜FAn)を含み、ゲートウエイGWに接続された外部ネットワーク上の相手端末とフォーリンエージェントFAに収容された移動端末との通信を仲介する移動ネットワークにおいて、
ゲートウエイGWおよび複数のフォーリンエージェントFAをリング状に接続する複数のリンク手段と、
各フォーリンエージェントFAに装備され、位置登録した移動端末のアドレスを管理するビジターリストと、
各フォーリンエージェントFAに装備され、ゲートウエイGWから転送されたパケットを一方側のフォーリンエージェントFAへ転送する手段と、
各フォーリンエージェントFAに装備され、ゲートウエイGWから転送されたパケットが位置登録済みの移動端末宛であると、当該パケットを前記移動端末へ転送する手段と、
各フォーリンエージェントFAに装備され、位置登録済みの移動端末から相手端末に宛てて送信されたパケットを一方側のフォーリンエージェントFAへ転送する手段と、
ゲートウエイGWに装備され、フォーリンエージェントFAから外部ネットワーク上の相手端末宛に転送されたパケットを外部ネットワークへ転送する手段とを含むことを特徴とする移動ネットワーク。
【請求項１２】  ゲートウエイGWおよび複数のフォーリンエージェントFAを含み、ゲートウエイGWに接続された外部ネットワーク上の相手端末とフォーリンエージェントFAに収容された移動端末との通信を仲介する移動ネットワークにおいて、
ゲートウエイGWおよび複数のフォーリンエージェントFAを、当該ゲートウエイGWを先頭にライン状に接続する複数のリンク手段と、
各フォーリンエージェントFAに装備され、位置登録した移動端末のアドレスを管理するビジターリストと、
各フォーリンエージェントFAに装備され、ゲートウエイGWから転送されたパケットを下流側のフォーリンエージェントFAへ転送する手段と、
各フォーリンエージェントFAに装備され、ゲートウエイGWから転送されたパケットが位置登録済みの移動端末宛であると、当該パケットを前記移動端末へ転送する手段と、
各フォーリンエージェントFAに装備され、位置登録済みの移動端末から転送された相手端末宛のパケットを上流側のフォーリンエージェントFAへ転送する手段と、
ゲートウエイGWに装備され、フォーリンエージェントFAから外部ネットワーク上の相手端末宛に転送されたパケットを外部ネットワークへ転送する手段とを含むことを特徴とする移動ネットワーク。
【手続補正２】
【補正対象書類名】明細書
【補正対象項目名】００１３
【補正方法】変更
【補正の内容】
【００１３】
そして、本発明ではこのようなリング状の移動ネットワークにおいて、移動端末が一のフォーリンエージェントFAに対して位置登録を要求する手順と、前記一のフォーリンエージェントFAが、前記位置登録要求に応答して前記移動端末のアドレスを自身のビジターリストへ登録する手順と、相手端末から移動端末に宛てて送信されたデータをゲートウエイGW が受信する手順と、前記ゲートウエイGWが一方側のフォーリンエージェントFAへデータを転送し、当該フォーリンエージェントFAがさらに、一方側の他のフォーリンエージェントFAへデータを転送し、これを繰り返す手順と、データを転送されたフォーリンエージェントFAが、その宛先アドレスを自身のビジターリストから検索する手順と、受信パケットのアドレスがビジターリストに既登録であるフォーリンエージェントFAが、当該受信パケットを移動端末の接続されたリンクへ転送する手順とを実行するようにしたことを特徴とする。
【手続補正３】
【補正対象書類名】明細書
【補正対象項目名】００１９
【補正方法】変更
【補正の内容】
【００１９】
ここでは、ホームネットワークに収容されたホームエージェントHAのIPアドレスをIPha、外部ネットワークに接続された相手端末CNのIPアドレスをIPcn、ゲートウエイGWのIPアドレスおよびMACアドレスをそれぞれIPg，Mg、フォーリンエージェントFAn(FA1，FA2…FAn）のIPアドレスおよびMACアドレスをそれぞれIPfn，Mfn、移動端末MNaのIPアドレスおよびMACアドレスをそれぞれIPa，Maとしている。前記ゲートウエイGWはさらに、前記MACアドレスMgとは別にGWのみが受信可能なMACアドレスMrを有し、このMACアドレスMrは全てのFAにおいて既知である。
【手続補正４】
【補正対象書類名】明細書
【補正対象項目名】００３４
【補正方法】変更
【補正の内容】
【００３４】
図６、７は、リング状ネットワーク上の移動端末MNaから外部ネットワーク上の相手端末CNへのデータ転送手順を示したブロック図およびそのシーケンス図であり、説明に不用なノードの図示は省略している。
(1) 移動端末MNaは、送信元アドレスおよび宛先アドレスとして、それぞれ自身のIPアドレス(IPa)およびCNのIPアドレス(IPcn)が登録されたCN宛のIPパケットに、さらに送信元アドレスおよび宛先アドレスとして、それぞれ自身のMACアドレス(Ma)および自身の経路テーブルにおいてゲートウェイIPアドレスとして登録されているFA1のMACアドレス(Mh1)を登録して送信する。
(2) FA1は、MNaからCN宛のIPパケットを受信すると、その宛先アドレスに基づいて外部ネットワーク宛のIPパケットと認識し、これに送信元アドレスおよび宛先アドレスとして、それぞれ自身のMACアドレス(Mh1)およびGWのMACアドレス(Mr)を登録して一方側のリンクへ送信する。
(3) 当該IPパケットはFA3で同様の手順を経てGWに転送される。
(4) GWは、宛先アドレスのプレフィクスがリング外であるか否かを判断する。
(5) GWは、宛先がリング外であるIPパケットを外部ネットワーク側に転送する。外部ネットワークへ転送されたIPパケットは、通常のIPルーティングに従って相手端末CNへ転送される。
D：移動端末MNb→移動端末MNaのデータ転送手順（リング内通信１）
【手続補正５】
【補正対象書類名】明細書
【補正対象項目名】００７７
【補正方法】変更
【補正の内容】
【００７７】
(2) MNa宛のIPパケットを受信したFA2は、宛先であるMNaのアドレス(IPA)がリング外であることから、あて先MACアドレスを(Mr)としてリング上の規定方向に転送する。
【手続補正６】
【補正対象書類名】明細書
【補正対象項目名】００８８
【補正方法】変更
【補正の内容】
【００８８】
本実施形態によれば、移動端末MNaがホームネットワークのアドレスを有している場合でも、リング状ネットワークにおいて高スループットの通信が可能になる。
【手続補正７】
【補正対象書類名】明細書
【補正対象項目名】０１１６
【補正方法】変更
【補正の内容】
【０１１６】
(3) 削除要求メッセージを受信したFA1，FA3はビジターリストを参照し、MNaに関するエントリがあれば、その位置登録時刻(t1)と削除要求メッセージに登録された時刻情報(t2)を比較する。そして、T1＜T2ならば当該エントリを削除し、T1＞T2ならば、当該エントリの方が新しい位置登録であると判断して削除しない。
【手続補正８】
【補正対象書類名】明細書
【補正対象項目名】図面の簡単な説明
【補正方法】変更
【補正の内容】
【図面の簡単な説明】
【図１】  本発明を適用した移動ネットワークの第１実施形態の構成を示したブロック図である。
【図２】  第１実施形態の位置登録手順を示したブロック図である。
【図３】  第１実施形態の位置登録手順を示したシーケンス図である。
【図４】  第１実施形態の相手端末CN→移動端末MNaのデータ転送手順を示したブロック図である。
【図５】  第１実施形態の相手端末CN→移動端末MNaのデータ転送手順を示したシーケンス図である。
【図６】  第１実施形態の移動端末MNa→相手端末CNのデータ転送手順を示したブロック図である。
【図７】  第１実施形態の移動端末MNa→相手端末CNのデータ転送手順を示したシーケンス図である。
【図８】  第１実施形態の移動端末MNb→移動端末MNaのデータ転送手順を示したブロック図である。
【図９】  第１実施形態の移動端末MNb→移動端末MNaのデータ転送手順を示したシーケンス図である。
【図１０】  第１実施形態の移動端末MNa→移動端末MNbのデータ転送手順を示したブロック図である。
【図１１】  第１実施形態の移動端末MNa→移動端末MNbのデータ転送手順を示したシーケンス図である。
【図１２】  第１、第２実施形態の移動端末MNaのハンドオフ手順を示したブロック図である。
【図１３】  第１、第２実施形態の移動端末MNaのハンドオフ手順を示したシーケンス図である。
【図１４】  第２実施形態の位置登録手順を示したブロック図である。
【図１５】  第２実施形態の位置登録手順を示したシーケンス図である。
【図１６】  第２実施形態の相手端末CN→移動端末MNaのデータ転送手順を示したブロック図である。
【図１７】  第２実施形態の相手端末CN→移動端末MNaのデータ転送手順を示したシーケンス図である。
【図１８】  第２実施形態の移動端末MNa→相手端末CNのデータ転送手順を示したブロック図である。
【図１９】  第２実施形態の移動端末MNa→相手端末CNのデータ転送手順を示したシーケンス図である。
【図２０】  第２実施形態の移動端末MNb→移動端末MNaのデータ転送手順（その１）を示したブロック図である。
【図２１】  第２実施形態の移動端末MNb→移動端末MNaのデータ転送手順（その２）を示したブロック図である。
【図２２】  第２実施形態の移動端末MNb→移動端末MNaのデータ転送手順を示したシーケンス図である。
【図２３】  本発明を適用した移動ネットワークの第３実施形態の構成を示したブロック図である。
【図２４】  第３実施形態の位置登録手順を示したブロック図である。
【図２５】  第３実施形態の相手端末CN→移動端末MNaのデータ転送手順を示したブロック図である。
【図２６】  第３実施形態の相手端末CN→移動端末MNaのデータ転送手順を示したシーケンス図である。
【図２７】  第３実施形態の移動端末MNa→相手端末CNのデータ転送手順を示したブロック図である。
【図２８】  第３実施形態の移動端末MNa→相手端末CNのデータ転送手順を示したシーケンス図である。
【図２９】  第３実施形態の移動端末MNaのハンドオフ手順を示したブロック図である。
【図３０】  第３実施形態の移動端末MNaのハンドオフ手順を示したシーケンス図である。
【図３１】  位置登録を局所的に行う際のネットワーク構成を示した図である。
【図３２】  FAを階層的に配置した際に各FAが収容すべき移動端末の情報を模式的に表現した図である。